(57)【特許請求の範囲】
【請求項１】
第１ハウジングアッセンブリを備えるコネクタであって、
上記第１ハウジングアッセンブリは、
第１ロック部材と、キャビティと、スロットとを画定する第１本体を備え、ここで、上記キャビティは、上記第１本体の第１側から第１距離、端子を受け入れるように構成され、上記スロットは、第２側から上記第１本体内に延びて上記キャビティを交差し、上記第１ロック部材は、上記第１本体に結合されて、上記端子が上記第１距離挿入されたとき、上記端子の離脱を妨げるように上記キャビティ内に延びており、
また、上記第１ハウジングアッセンブリは、上記スロット内に摺動可能に挿入されていると共に、上記スロット内におけるプリセット位置とフルセット位置との間を可動可能である保証本体を備え、上記保証本体は、補強部材と、第２ロック部材とを有しており、
上記保証本体が、上記フルセット位置に存在するとき、上記補強部材は、上記第１ロック部材の移動を制限することによって上記キャビティからの上記端子の離脱を妨げるように構成され、上記第２ロック部材は、上記端子の移動を制限することによって上記第１ロック部材と無関係に上記端子の離脱を妨げるように上記キャビティ内に延びており、
上記第１ロック部材および上記第２ロック部材は、上記端子の同じショルダ上で上記端子に噛み合うことによって上記端子の離脱を妨げるように構成されている、コネクタ。
【請求項２】
請求項１に記載のコネクタにおいて、
上記第１ロック部材は、第１位置と第２位置との間を移動可能であり、
上記第１ロック部材が上記第１位置に存在するとき、上記第１ロック部材は、上記端子を上記キャビティ内に固定するために上記キャビティ内に延びているロック部を有し、そのロック部は、上記端子が上記第１距離よりも短い距離上記キャビティ内に挿入されたとき、上記第１ロック部材を上記第２位置に移動させるために上記端子と協働するように構成され、
上記補強部材は、上記保証本体が上記フルセット位置にあるとき、上記第１ロック部材が上記第２位置に移動するのを妨げることによって上記端子の離脱を妨げる、コネクタ。
【請求項３】
請求項２に記載のコネクタにおいて、
上記第１ロック部材は、弾性アームであり、
上記アームは、第１端で上記本体に結合すると共に、上記第１端から第２端まで束縛を受けずに延び、上記ロック部は、上記第２端に近接している、コネクタ。
【請求項４】
請求項２に記載のコネクタにおいて、
上記第１ロック部材が上記第２位置に存在するとき、上記補強部材は、上記保証本体が上記フルセット位置に移動するのを妨げるように上記第１ロックに噛み合う、コネクタ。
【請求項５】
請求項２に記載のコネクタにおいて、
上記ロック部は、ランプを有し、そのランプは、上記端子を上記キャビティ内に完全に挿入するために上記第１ロック部材を上記第２位置に移動させるように上記端子を上記キャビティに挿入しているときに、上記端子に摺動可能に噛み合うように構成され、上記第１ロック部材が、上記端子が上記第１距離挿入されたとき上記第１位置に戻るように構成されている、コネクタ。
【請求項６】
請求項１に記載のコネクタにおいて、
上記端子が、上記キャビティに上記第１距離より短い距離挿入されたとき、上記第１ロック部材は、上記保証本体に噛み合うことによって上記保証本体が上記フルセット位置に移動することを妨げるように構成されている、コネクタ。
【請求項７】
請求項１に記載のコネクタにおいて、
上記第１本体は、複数の端子を受け入れるための複数の上記キャビティを画定し、複数の上記第１ロック部材は、上記複数のキャビティ内に延び、上記保証本体は、上記複数の第１ロック部材の移動を制限するように構成された複数の補強部材と、上記複数の第１ロック部材と無関係に上記複数の端子の離脱を妨げるように構成された複数の第２ロック部材とを有する、コネクタ。
【請求項８】
請求項１に記載のコネクタにおいて、
上記スロットは、上記第１本体における上記第１側に垂直な第２側から上記キャビティを貫いている、コネクタ。
【請求項９】
第１ハウジングアッセンブリを備えるコネクタであって、
上記第１ハウジングアッセンブリは、
端子を備えると共に、
弾性アームと、キャビティと、スロットとを有する第１本体を備え、ここで、上記キャビティは、第１本体の第１側から挿入された上記端子を受け入れるように構成され、上記スロットは、上記第１側に略垂直な上記第１本体の第２側から上記キャビティに交差しており、上記弾性アームは、第１位置と第２位置との間を移動可能であって、第１端で上記第１本体に結合し、かつ、上記第１端から第２端まで束縛を受けずに延び、上記第２端は、上記第１位置で上記キャビティ内に延びて、上記端子が上記キャビティ内に完全に挿入されたときに上記端子の離脱を妨げ、上記弾性アームは、上記端子が上記キャビティに不十分に挿入されたときに上記第２位置に移動するように上記端子と協働し、
上記第１ハウジングアッセンブリは、更に、上記スロット内に摺動可能に挿入されていると共に、プリセット位置とフルセット位置との間を移動可能な保証本体を備え、ここで、上記保証本体は、補強部材とロック部材とを有し、上記補強部材は、上記保証本体が上記フルセット位置にあるとき上記弾性アームが上記第２位置に移動するのを妨げるように構成され、上記ロック部材は、上記キャビティ内に延びて、上記端子が上記キャビティに完全に挿入されて上記保証本体が上記フルセット位置に存在するときに上記弾性アームとは無関係に上記端子の離脱を妨げるように構成され、
上記端子が上記キャビティに不十分に挿入されたとき、上記端子は上記保証本体が上記フルセット位置に移動するのを妨げ、
上記弾性アームおよび上記ロック部材の夫々は、上記端子の離脱を妨げるために上記端子における同じショルダで上記端子に噛み合うように構成されている、コネクタ。
【請求項１０】
請求項９に記載のコネクタにおいて、
上記第１本体は、複数の端子を受け入れるように構成された複数のキャビティを画定すると共に、上記複数のキャビティに延びることによって上記複数の端子の撤退を妨げるように構成された複数の弾性アームを有し、上記保証本体は、上記複数の弾性アームの移動を妨げるように構成された複数の補強部材と、上記複数の弾性アームとは無関係に上記複数の端子の離脱を妨げるように構成された複数のロック部材とを有する、コネクタ。
【請求項１１】
請求項９に記載のコネクタにおいて、
上記弾性アームが上記第２位置に存在するとき、上記補強部材は、上記保証本体が上記フルセット位置に移動することを妨げるために上記弾性アームに噛み合うように構成されている、コネクタ。
【請求項１２】
請求項９に記載のコネクタにおいて、
上記端子が上記キャビティに不十分に挿入されたとき、上記ロック部材は、上記保証本体が上記フルセット位置に移動することを妨げるように上記端子に噛み合うように構成されている、コネクタ。
【請求項１３】
請求項９に記載のコネクタにおいて、
上記弾性アームは、ランプを有し、上記ランプは、上記キャビティ内への上記端子の挿入の際に上記端子を上記キャビティに完全に挿入させるために、上記弾性アームを上記第２位置に移動させるように上記端子に摺動可能に噛み合うように構成され、上記弾性アームは、上記端子が上記キャビティに完全に挿入されたとき上記第１位置に戻るように構成されている、コネクタ。
【請求項１４】
請求項９に記載のコネクタにおいて、
更に、上記第１ハウジングアッセンブリに係合するように構成された第２ハウジングアッセンブリを備え、ここで、上記第２ハウジングアッセンブリは、第２本体を有し、上記第１ハウジングアッセンブリと上記第２ハウジングアッセンブリのうちの一方は、上記第１および第２本体の一方に旋回可能に結合されたレバーを有し、上記レバーは、カム面を画定し、上記第１ハウジングアッセンブリと上記第２ハウジングアッセンブリのうちの他方は、追従部材を有し、上記カム面および上記追従部材は、上記レバーがつながっているとき上記第１および第２ハウジングアッセンブリを、プリセット状態とフル係合状態との間を選択的に移動させるために協働するように構成されている、コネクタ。
【請求項１５】
第１ハウジングアッセンブリを備えるコネクタであって、
上記第１ハウジングアッセンブリは、
端子を備えると共に、
キャビティと、スロットとを画定する第１本体を備え、ここで、上記キャビティは、第１方向に上記第１本体に挿入された上記端子を受け入れるように構成され、上記スロットは、上記キャビティに略垂直に延びていて上記キャビティに交差しており、
上記第１ハウジングアッセンブリは、更に、第１端で上記第１本体に結合すると共に、上記第１端から上記第１方向に第２端まで束縛を受けずに延びる弾性アームを備え、ここで、上記弾性アームは、第１および第２位置の間を移動可能であると共に、上記第１位置で上記キャビティ内に延びるロック面およびランプを有し、上記ロック面は、上記端子が完全に上記キャビティに挿入されて上記弾性アームが上記第１位置に存在するとき、上記端子の離脱を妨げるように構成され、上記ランプは、挿入の間に上記弾性アームを上記第２位置に移動させるように上記端子に摺動可能に噛み合うように構成され、上記弾性アームは、上記端子が完全に挿入されたとき上記第１位置に戻るようにバイアスをかけられ、
上記第１ハウジングアッセンブリは、更に、上記スロットに摺動可能に挿入されていると共に、プリセット位置とフルセット位置との間を移動可能な保証本体を備え、ここで、上記保証本体は、
上記弾性アームが、上記保証本体が上記フルセット位置にあるときに上記第２位置に移動することを妨げるように構成される補強部材と、
上記端子が完全に挿入されて上記保証本体が上記フルセット位置に存在するとき上記弾性アームと無関係に上記端子の離脱を妨げるように上記キャビティ内に延びるロック部材とを有し、
上記補強部材は、上記弾性アームが上記第２位置に存在するとき上記保証本体が上記フルセット位置に移動することを妨げるように構成され、上記端子が上記ロック部材に噛み合うことによって上記キャビティ内に不十分に挿入されたとき、上記端子は、上記保証本体が上記フルセット位置に移動することを妨げ、
上記弾性アームおよび上記ロック部材は、上記端子の離脱を妨げるために上記端子における同じ長手方向の位置で上記端子に噛み合うように構成される、コネクタ。
【請求項１６】
請求項１５に記載のコネクタにおいて、上記第１本体は、複数の端子を受け入れるように構成された複数のキャビティを画定し、上記ハウジングは、上記複数の端子を固定するように構成された複数の弾性アームを有し、上記保証本体は、上記複数の弾性アームの移動を制限するように構成された複数の補強部材と、上記複数の弾性アームと無関係に上記複数の端子の離脱を妨げるように構成された複数のロック部材とを有する、コネクタ。
【請求項１７】
請求項１５に記載のコネクタにおいて、
上記第１ハウジングアッセンブリに係合するように構成された第２ハウジングアッセンブリを備え、ここで、上記第２ハウジングアッセンブリは、第２本体を有し、上記第１ハウジングアッセンブリと上記第２ハウジングアッセンブリの一方は、上記第１および第２本体の一方に旋回可能に結合されたレバーを有し、上記レバーは、カム面を画定し、上記第１および第２ハウジングアッセンブリの他方は、追従部材を有し、上記カム面および上記追従部材は、上記レバーがつながっているとき上記第１および第２ハウジングアッセンブリを、プリセット状態とフル係合状態との間を選択的に移動させるために協働するように構成されている、コネクタ。
【発明の詳細な説明】
【技術分野】
【０００１】
本発明は、二重の主ロック補強部材と、独立な第２のロックとを有する端子位置保証に関する。
【背景技術】
【０００２】
端子位置保証は、一般的に二つのタイプのうちの一方として分類され、主ロック補強部材（ＰＬＲ）を有するものと、独立第２ロック（ＩＳＬ）を有するものとに分類される。それらは、それぞれ、長所と、短所とを持ち合わせている。主ロック補強部材は、主ロック機構を補強できるが、主ロック機構がロックに失敗した場合において、ハウジング内に端子を保持する追加のロックを提供することはない。それで、主ロック補強部材は、コネクタ保有される端子を増加させない。一方、独立第２ロックは、主ロック機構とは独立な追加の保証機能を提供する。しかし、独立第２ロックは、主ロック機構をバックアップすることはなく、端子が固定位置のそばにあるとき、不十分に着座した端子をさがすという問題がある。ここで、主ロック補強部材と、分離した独立第２ロックとを有することは、コネクタアッセンブリのサイズ、重量、複雑性およびコストを増大させることになる。
【発明の概要】
【０００３】
このセクションでは、理解し易い記載ではないものの、開示の概要を示す。
【０００４】
本願は、第１ハウジングアッセンブリを含むコネクタを提供する。その第１ハウジングアッセンブリは、第１本体と、保証本体とを含む。第１本体は、第１ロック部材、キャビティおよびスロットを画定する。上記キャビティは、第１本体の第１側から第１距離そこに挿入された端子を受け入れるように構成される。スロットは、第２側から第１本体内に延び、キャビティに交差する。第１ロック部材は、第１本体に結合し、端子が第１距離挿入されたとき、端子の離脱を妨げるようにキャビティ内に延びる。保証本体は、スロット内に摺動可能に挿入され、スロット内でプリセット位置とフルセット位置との間を移動可能である。保証本体は、補強部材と第２ロック部材とを有する。保証本体が、フルセット位置に存在するとき、補強部材は、第１ロック部材の移動を制限するように構成され、その結果、キャビティからの端子の離脱が妨げられ、また、第２ロック部材が端子の移動を制限するようにキャビティ内に延び、第１ロック部材と無関係に端子の離脱を妨げる。
【０００５】
本願は、更に、第１ハウジングアッセンブリを有するコネクタを提供する。第１ハウジングアッセンブリは、端子、第１本体および保証本体を有する。第１本体は、弾性を有するアーム（以下、弾性アームと記載する）、キャビティ、スロットを画定する。キャビティは、第１本体の第１側から挿入される端子を受け入れるように構成されている。スロットは、第１側に略垂直な第１本体の第２側からキャビティに交差する。弾性アームは、第１位置と第２位置との間を移動可能である。弾性アームは、第１端で第１本体に結合し、そこから第２端に束縛を受けずに延びる。第２端は、第１位置にあるとき、キャビティ内に延び、端子が完全にキャビティ内に挿入されたとき端子の離脱を妨げる。弾性アームは、端子が不十分にキャビティ内に挿入されたとき第２位置に動かされるように端子と協働する。保証本体は、スロット内に摺動可能に挿入され、プリセット位置とフルセット位置との間を移動可能である。保証本体は、補強部材とロック部材とを有する。補強部材は、保証本体がフルセット位置に存在するとき、弾性アームが第２位置に移動することを妨げるように構成されている。ロック部材はキャビティ内に延びるように構成され、ロック部材は、端子がキャビティ内に完全に挿入されて保証本体がフルセット位置に存在しているとき、弾性アームと無関係に端子の離脱を妨げる。端子は、端子が不完全にキャビティ内に挿入されたとき、保証部材がフルセット位置に移動することを妨げる。
【０００６】
本願は、また、端子、第１本体、弾性アームおよび保証本体を有する第１ハウジングアッセンブリを備えるコネクタを提供する。第１本体は、キャビティとスロットとを画定する。キャビティは、第１方向に挿入された端子を受け入れるように構成されている。スロットは、キャビティに略垂直であり、キャビティに交差する。弾性アームは、第１端で第１本体に結合し、そこから第２端まで第１方向に束縛なく延在している。弾性アームは、第１および第２位置の間を移動可能であり、第１位置に存在するときにキャビティ内に延びるロック面とランプ（斜面）を有する。ロック面は、端子が完全にキャビティ内に挿入されて弾性アームが第１位置にあるとき、端子の離脱を妨げるように構成されている。ランプは、端子の挿入の際に端子に摺動可能に噛み合うように構成され、その結果、弾性アームは、第２位置に移動する。弾性アームは、端子が完全に挿入されたとき、第１位置に戻るように偏らされている（バイアスをかけられている）。保証本体は、スロット内に摺動可能に挿入され、プリセット位置とフルセット位置との間を移動可能である。保証本体は、補強部材とロック部材とを有する。補強部材は、保証本体がフルセット位置にあるとき、弾性アームが第２位置に移動することを妨げるように構成されている。ロック部材は、端子が完全に挿入されて保証本体がフルセット位置にあるとき、弾性アームと無関係に端子の離脱を妨げるようにキャビティ内に延びるように構成されている。補強部材は、弾性アームが第２位置にあるとき、保証本体がフルセット位置に移動することを妨げるように構成されている。端子は、端子がロック部材と噛み合うことによってキャビティ内に不十分（不完全）に挿入されたとき、保証本体がフルセット位置に移動することを妨げる。
【０００７】
適用可能な更なる分野は、本願の記載から明らかになるだろう。このサマリーのセクションでの記載および特定の例は、例示を目的としたものであって、本願の開示の範囲を制限することを意図したものではない。
【０００８】
本願で記載される図は、単に選択された実施形態を図示する目的で提供されるものであって、可能な全ての実施例を示す図ではなく、本願の開示の範囲を限定することを意図するものでない。
【０００９】
また、複数の図を通じて、同じ部位（対応する部位）には、同じ参照番号を付している。
【図面の簡単な説明】
【００１０】
【図１】本願の一実施形態のコネクタの第１ハウジングアッセンブリの斜視図である。
【図２】上記コネクタの第２ハウジングアッセンブリの斜視図である。
【図３】プリセット位置での図１の第１ハウジングアッセンブリの断面斜視図である。
【図４】フルセット位置での図３の第１ハウジングアッセンブリの詳細図である。
【図５】図３の第１ハウジングアッセンブリの断面斜視図である。
【図６】フルセット位置での図５の第１ハウジングアッセンブリの詳細図である。
【図７】図２の第２ハウジングアッセンブリの断面図である。
【発明を実施するための形態】
【００１１】
以下、本発明の実施例を図示の形態により詳細に説明する。
【００１２】
本願は、主ロックと、主ロック補強部材および独立第２ロックに向けられ、それらによって、端子がコネクタ内に正確に配置されつづけることが保証される。主ロックおよび独立第２ロックは、概してコネクタからの端子の離脱を避けるために作用し、主ロック補強部材は、概して主ロックを補強するべく作用する。後述するが、コネクタは、ユーザが不適切に配置した端子を発見するのを可能とする。コネクタは、相手側コネクタと結合でき、その結合によって、例えば、動力伝達および情報信号の伝達うちの少なくとも一方のために、それらの間に電流を流すことができる。電気端子が記載されるけれども、端子と、それに結合されるケーブルは、他の方法で情報を転送することが可能であり、他の方法には、例えば、ファイバ光結合がある。
【００１３】
図１および２に示すように、コネクタ１０は、第１ハウジングアッセンブリ１４と、第２ハウジングアッセンブリ１８とを有する。第１ハウジングアッセンブリ１４は、第２ハウジングアッセンブリ１８と結合するように配置されることができ、その結合の結果、第１および第２ハウジングアッセンブリ１４,１８に導かれる図示しないワイヤで電気結合がされる。
【００１４】
図１および図３に示すように、第１ハウジングアッセンブリ１４は、第１本体２２と、コネクタ保証装置２６と、端子位置保証３０とを有する。第１本体２２は、一対の追従部材３４と、複数のベイ３８と、端子位置保証スロット４２を画定している。第１本体２２は、コネクタ保証チャネル４６と、コネクタ保証リテイナー５０とを画定している。各追従部材３４は、第１本体２２に対向する側に結合されることができ、それらの側に垂直にそこから延びている。
【００１５】
各ベイ３８は、リア側、すなわち、第１本体２２の第１側５８、が開口したキャビティ５４を画定し、そのキャビティ５４は、リア側５８から挿入された端子６２を受けるようになっている。各ベイ３８は、フロント側、すなわち、第１本体２２の第２側７０、に接合アパーチャ６６を画定し、その接合アパーチャ６６によって、ベイ（区切られている部分）３８内に挿入された端子６２が第２本体２１４に配置された接合端子７４（図７参照）に接合できるようになる。これについては、後述する。ベイ３８の少なくとも一つは、主ロック部材７８を画定している。端子６２が、第１本体２２に挿入されたとき、端子６２は、図示しないワイヤに電気結合でき、そのワイヤは、第１本体２２のリア側５８から延びる。ベイ３８は、隣接するベイ３８と一緒になって、並んだ状態と、上下になっている状態との少なくとも一方の状態となって、一次元または二次元上に配列されることができる。ベイ３８は、異なったサイズや、異なった形状でもよく、異なったサイズやタイプの端子６２を受けることができてもよい。一例としては、コネクタ１０は、２２Ｐ×１.２＋２Ｐ×２.８＋２Ｐ×６.３の配置において、１.２ｍｍと、２.８ｍｍと、６.３ｍｍとの端子を受けるベイ３８を有する。第１本体２２は、各列が１１個の１.２ベイ８２からなる２列に配置された複数のベイ８２を画定している。また、第１本体２２は、二つの２.８ベイ８６と、二つの６.３ベイ９０とを画定し、それらは、２列に配列された１.２ベイの上に位置している。二つの２.８ベイ８６は、二つの６.３ベイの間に位置している。しかし、異なったタイプおよびサイズのうちの少なくとも一方を満たし、かつ、異なる配置がされた、追加されたベイやより少ないベイが採用されてもよい。
【００１６】
図３および４に示すように、主ロック部材７８は、ベイ３８からの端子６２の離脱を妨げる構成（形状）にでき、主ロック部材７８によって、端子６２をキャビティ５４内に固定することができる。図３および４の例では、２.８ベイ８６の主ロック部材７８と、それに対応する２.８端子であるところの端子６２が図示されている。主ロック部材７８が、いずれのベイ３８にも同様に配置されることができて、他のタイプやサイズの端子６２とかみ合うことができることは、以下の議論で理解されることができる。主ロック部材７８は、アーム９４を有することができ、そのアーム９４は、第１本体２２に結合した固定端９８を有し、また、固定端９８から束縛を受けずに延びた自由端１０２を有する。固定端９８は、第１本体２２におけるリア側５８の近位に結合されることができ、自由端１０２は、略フロント側７０まで伸びることができる。固定端９８が、第１本体２２においてリア側５８でない他の側に近位する部分に結合することも考えられ、それは、例えば、フロント側７０に近位する第１本体２２の部分であり、自由端１０２は、そこから、例えば、リア側５８のような他の側に延びることも考えられる。アーム９４は、図４に示す第１位置と、図３に示す第２位置との間を移動可能である。アーム９４は、弾性材料であることができ、その場合、アーム９４は、第１位置と第２位置との間を撓んだり、または、曲がったりすることにより移動することができ、また、固定端９８に対して旋回するように撓んだり、曲がったりできる。自由端１０２は、ランプ（斜面）１０６と、固定段部１１０とを有する。第１位置において、ランプ１０６および固定段部１１０は、キャビティ５４の方に延びることができる。
【００１７】
キャビティ５４内への端子６２の挿入の際、端子６２は、リア側５８からキャビティ５４に挿入され、フロント側７０の方に第１方向１１４に移動させられる。アーム９４は、最初キャビティ９４内にのびており、アーム９４を、第１位置の方に偏らせることができる（バイアスをかけられることができる）。端子６２は、第１方向１１４に移動されることができると共に、第１方向１１４とは逆の第２方向１１８にも移動されることができ、端子６２が第１端子位置になるまで、リア側５８から第１距離移動されることができる。第１端子位置で、ランプ１０６は、端子６２にかみ合うことができ、その結果、端子６２は、ランプ１０６に沿ってスライドし、アーム９４に第２位置の方に移動する力を与える。アーム９４が第２位置に位置しているとき、端子６２は、第１方向１１４にも第２方向１１８にも自由に移動できる。端子６２は、図４に示す第２端子位置まで第１方向１１４に移動でき、リア側５８から第２距離移動できる。第２端子位置では、端子６２のショルダ（肩部）１２２は、アーム９４が第２位置から第１位置に移動することを可能にし、第１位置の方へのアーム９４の偏りを可能とする。アーム９４が、第１位置に存在し、端子６２が、第２端子位置に存在するとき、段部１１０は、第１位置においてショルダ１２２に干渉して対抗するように配置され、その結果、端子６２が第２方向１１８に移動することを妨げ、端子６２がキャビティ５４から離脱することを妨げる。端子６２は、第２端子位置にあるとき、完全に挿入されているものと考えられる。
【００１８】
端子位置保証スロット４２は、第１本体２２の第３側１３４に開口するアパーチャ（開口部）１３０を画定し、フロント側７０およびリア側５８に略垂直であって、第１方向１１４に略垂直な第３方向１３８に第１本体２２内へ延びている。端子位置保証スロット４２は、第１本体２２内に延びることができ、少なくとも一つのベイ３８内へ入り込むことができる。端子位置保証スロット４２は、幾つか、または、すべてのベイ３８に入り込むことができる。端子位置保証スロット４２は、第３側１３４から端子位置保証スロット４２に侵入された端子位置保証３０を受けるように構成される（形作られる）ことができる。
【００１９】
端子位置保証３０は、端子位置保証スロット４２内に摺動によって挿入されることができ、端子位置保証スロット４２内を、図３および図５に示すプリセット位置から図４および図６に示すフルセット位置（完全にセットされた位置）の間を移動可能である。端子位置保証３０は、端子位置保証本体１４２と、少なくとも一つの主ロック補強部材１４６と、少なくとも一つの独立第２ロック部材１５０とを有する。ベイ３８が互いに上下に配置されたとき、端子位置保証本体１４２は、複数の端子位置保証アパーチャ１５４を画定できる。プリセット位置にあるとき、複数の端子位置保証アパーチャ１５４が複数のキャビティ５４と一緒になって一列（一直線）上に配列され、その結果、複数の端子６２が端子位置保証本体１４２を通してキャビティ内に挿入されることが可能になる。一度、複数の端子６２が複数のベイ３８に端子位置アパーチャ１５４を介してフルに挿入されたならば、端子位置保証３０が、フルセット位置に動かされることができる。主ロック補強部材１４６は、端子位置保証本体１４２に結合されることができ、端子位置保証本体１４２上に一体的に形成されることができる。主ロック補強部材１４６は、端子位置保証本体１４２上に配置されることができ、プリセット位置では、主ロック部材７８は、第１位置と第２位置との間を自由に移動可能であり、フルセット位置では、主ロック補強部材１４６が、主ロック部材７８が第２位置から動くのを妨げるように構成されている。このように、主ロック補強部材１４６は、主ロック部材７８を補強し、端子６２が第２端子位置にあるとき、段部１１０とショルダ１２２との連結がはずれるのを妨げる。主ロック補強部材１４６は、不十分に挿入された端子６２を検出するのに役立つ。端子６２が、第１距離よりも長く、かつ、第２距離よりも短い距離だけ、第１端子位置と、第２端子位置との間のキャビティ内に挿入されたとき、主ロック部材７８は、説明したように、第１位置から離れて第２位置の方に関連づけられる。主ロック部材７８が、第１位置から離れるように関連づけられたとき、主ロック部材７８は、主ロック補強部材１４６に対抗して干渉するように構成され、その結果、端子位置保証３０がフルセット位置に移動するのを妨げる。それで、接合された主ロック部材７８は、端子位置保証３０と端子６２との間の止め具として機能し、端子位置保証３０がフルセット位置に動くのが不可能なことは、不完全に挿入された端子６２を指し示す。端子位置保証３０は、複数の主ロック補強部材１４６を有し、それら主ロック補強部材１４６は、複数のベイ３８に対応して存在する複数の主ロック部材７８を補強し、また、端子位置保証３０は、その複数のベイ３８の間に不完全に挿入されたわずか一つの端子６２を検知できる。
【００２０】
図５および図６に示すように、独立第２ロック部材１５０は、端子位置保証本体１４２に結合でき、端子位置保証本体１４２と一体に構成されることができる。独立第２部材１５０は、端子位置保証３０が端子位置保証スロット４２に挿入されたとき、独立第２ロック部材１５０が主ロック補強部材１４６よりも第３方向１３８にさらに延びるように配置されることができる。図５および図６の例では、２.８ベイ８６の独立第２ロック部材１５０と、それに対応する２.８端子であるところの端子６２とが図示されたが、独立第２ロック部材１５０は、同様にいかなるベイ３８にも配置されることができることが理解され、独立第２ロック部材１５０は、いかなるサイズの端子６２にもかみ合うことができる。独立第２ロック部材１５０は、プリセット位置で、独立第２ロック部材１５０が端子６２が第１または第２方向１１４,１１８に移動することを阻止しないように、端子位置保証本体１４２に配置されることができる一方、独立第２ロック部材１５０は、フルセット位置では、独立第２ロック部材１５０が端子６２上の第２位置１５８と対抗して干渉するように構成され、端子６２が第２方向１１８に移動することを妨げ、端子６２がキャビティ５４から離脱することを妨げる。例示されているように、第２位置１５８は、主ロック部材７８が端子６２にかみ合うように構成されているショルダ１２２と同じショルダ１２２における異なる位置に配置されている。しかし、第２位置１５８は、主ロック部材７８がかみ合っているショルダ１２２と無関係な位置であることができる。独立第２ロック部材１５０は、第２位置１５８にかみ合うように構成され、主ロック部材７８と無関係に端子６２を固定する。それで、主ロック部材７８がロックを失敗したとしても、それでも、独立第２ロック部材１５０が端子６２をキャビティ５４内での正確な位置に固定し、端子６２の離脱を妨げる。
【００２１】
独立第２ロック部材１５０は、また、不十分に挿入された端子６２を検出するのに従事できる。端子６２がキャビティ５４に第１位置と第２位置との間に挿入されたとき、それは、端子６２が、第１距離よりも長くかつ第２距離よりも短く挿入されることを意味するが、そのとき、端子６２が独立第２ロック部材１５０に邪魔され、端子位置保証３０がフルセット位置に移動することが妨げられる。それで、端子６２は、端子位置保証３０と、フルセット位置との間で留め具として機能し、端子位置保証がフルセットに移動することの禁止は、不十分に挿入された端子６２を意味する。端子位置保証３０は、複数の独立第２ロック部材１５０を備えることができ、それらは複数のベイ３８内で複数の端子６２を固定し、また、複数のベイ３８内でわずか一つの不十分に挿入された端子６２も検出する。独立第２ロック部材１５０および主ロック補強部材１４６の検知能力は、互いに独立であり、夫々が独立に端子６２が適切に位置しているか否かを検知する。
【００２２】
図１を参照して、コネクタ保証チャネル４６は、第１本体２２のリア側５８に開口し、リア側５８からそこにコネクタ保証装置２６を受けるように構成されている。コネクタ保証チャネル４６は、第１本体２２のトップ、すなわち、第４側１６２に近接するように配置されることができ、ここで第４側１６２は、第３側１３４とは反対側であり、また、第２側７０と第４側１６２とに実質的に開口できる。コネクタ保証リテイナー５０は、コネクタ保証チャネル４６内に延びるとともに、第１ショルダ１６６を有する。コネクタ保証装置２６は、ベース(基部)１７０と、ベース１７０に結合された第１指（第１フィンガー）１７４とを有することができる。第１指１７４は、第１ショルダ１６６に対向するように構成された第２ショルダ１７８を有することができ、第２ショルダ１７８は、コネクタ保証装置２６が、コネクタ保証チャネル４６に、ひと度、所定の距離挿入されたならば、コネクタ保証装置２６が、コネクタ保証チャネル４６から取り除かれるのを妨げる。
【００２３】
図２および図７に示すように、第２ハウジンブアッセンブリ１８は、レバー２１０、第２本体２１４および第２端子位置保証２１８を有することができる。レバー２１０は、第１レバー本体２２２と、第２レバー本体２２６とを有することができ、それらは、互いに離れて配置されており、かつ、第１および第２レバー本体２２２,２２６の間に延びるレバーアーム２３０を介して第１および第２レバー本体２２２,２２６の夫々の第１端で結合されている。第１および第２レバー本体２２２,２２６は、第２本体２１４の互いに対向する側に回転可能に結合されることができる。第１および第２レバー本体２２２,２２６の夫々は、カム面２３８を有するカム溝２３４を画定できる。カム溝２３４は、レバー本体２２２,２２６の夫々の上記第１端とは反対側の第２端で開口することができ、第１および第２本体２２,２１４が、プリセット状態であるとき、追従部材３４をカム溝２３４内に受けることができる。追従部材３４がカム溝２３４内に配置されて、レバー２１０が回転しているとき、カム面２３８は、追従部材３４に対して摺動することによって追従部材３４と協働できるように構成され、その結果、第１および第２本体２２,２１４が、プリセット状態と、フル係合状態（完全に係合された状態）との間を、選択的に移動することができる。フル係合状態では、全ての端子６２は、対応する係合端子７４に適切に係合される。
【００２４】
第２本体２１４は、複数の第２ベイ２４２、第２端子位置保証スロット２４６およびシュラウド（覆い）２５０を画定している。第２ベイ２４２の夫々は、第１ハウジングアッセンブリのベイ３８と略同様であることができ、リア、すなわち、第２本体２１４の第１側２５８に、開口する第２キャビティ２５４を画定し、リア側２５８から第１方向２６２に挿入された係合端子７４の一つを第２キャビティ２５４で受けることができる。上述のように、一例のコネクタ１０は、２２Ｐ×１.２＋２Ｐ×２.８＋２Ｐ×６.３形状（構成）の１.２ｍｍ,２.８ｍｍおよび６.３ｍｍ端子を受けるように構成されている。それで、典型的な第２本体２１４の第２ベイ２４２は、それに相補的な１.２,２.８および６.３ベイである。第２ベイ２４２は、１.２ベイとして例解されているが、上述または以下の議論は、同様に他のベイに適用されることを理解させる。第２ベイ２４２の各々は、フロント、すなわち、第２本体２１４の第２側２７０に、第２係合アパーチャ２６６を画定でき、その第２係合アパーチャ２６６は、第２キャビティ２５４内に挿入された係合端子７４が第１本体２２に収容された端子６２の一つと係合することを可能とする。第２ベイ２４２は、第１本体２２の主ロック部材７８と略同様な第２主ロック部材（図示せず）を画定でき、それは、完全に挿入された係合端子７４が第２キャビティ２５４から離脱するのを妨げる。係合端子７４は、電気的に図示しないワイヤと結合でき、そのワイヤは、係合端子７４が第２本体２１４に挿入されたとき、第２本体２１４の第１側２５８から延びている。第２ベイ２４２は、第１本体２２のベイ３８の配置に相補的な１または２次元の列に配置されることができ、同様に、異なったサイズやタイプの係合端子７４を受けるために異なったサイズや形状であることができる。係合端子７４は、プロング（尖った突起部）２７２を有することができ、そのプロング２７２は、第２係合アパーチャ２６６および第１本体２２の係合アパーチャ６６を介して延びるように構成され、第１本体２２内で端子６２に係合される。例示では、第１ハウジングアッセンブリ１４が、雌のアッセンブリとして示され、第２ハウジングアッセンブリ１８が、雄のアッセンブリとして示されているが、第１ハウジングアッセンブリ１４および第２ハウジングアッセンブリ１８は、いかなるコンビネーションの雄または雌の端子６２または係合端子７４も有することができる。また、レバー２１０は、第１ハウジングアッセンブリ上に存在することができる一方、第２ハウジングアッセンブリ１８は、追従部材３４を有することができる。レバー２１０が、オプションであることが理解され、また、コネクタ１０が、第１ハウジングアッセンブリ１４と、レバー２１０または追従部材３４を含んでいる第２ハウジングアッセンブリ１８とのいずれとも協働しないことができる。
【００２５】
第２端子位置保証スロット２４６は、第２本体２１４の第３側２７８に開口するアパーチャを画定でき、アパーチャは、実質的にフロントおよびリア側２５８,２７０に垂直な状態であって、略第１方向２６２に垂直である第２方向２８２に第２本体２１４内に延びている。第２端子位置保証スロット２４６は、第２本体２１４内に延び、少なくとも一つの第２ベイ２４２を貫いている。第２端子位置保証スロット２４６は、全てまたは幾つかの第２ベイ２４２を貫くことができる。第２端子位置保証スロット２４６は、第３側２７８から第２端子位置保証スロット２４６内に挿入された第２端子位置保証２１８を受けるように構成されることができる。
【００２６】
第２端子位置保証２１８および第２端子位置保証スロット２４６は、上述の第１ハウジングアッセンブリ１４の端子位置保証３０および端子位置保証スロット４２と略同じ構造および機能を有することができる。第２端子位置保証２１８は、第２端子位置保証本体２８６と、略主ロック補強部材１４６と同様な第２主ロック補強部材（図示せず）と、第２端子位置保証本体２８６に結合する少なくとも一つの独立第２ロック部材２９０とを有し、完全に挿入された係合端子７４が第２ベイ２４２から離脱することを妨げるようにしている。第２端子位置保証２１８は、第２端子位置保証２１８がプリセット位置にいるときに、第２キャビティ２５４と一列に配列される第２端子位置保証アパーチャ２９４を画定している。プリセット位置では、係合端子７４は、第２端子位置保証本体２８６を介して第２キャビティ２５４内に挿入されることができ、第２ベイ２４２内に完全に挿入される。プリセット位置では、第２の独立第２ロック部材２９０が、係合端子７４が第２キャビティ２５４内から移動することを禁止しない。一度、係合端子７４が、完全に挿入されたならば、第２端子位置保証２１８は、フルセット位置に移動することができる。フルセット位置では、第２の独立第２ロック部材２９０が、係合端子７４上のショルダ２９８に対抗して干渉するように第２キャビティ２５４内に延びることができ、その結果、係合端子７４の第２キャビティ２５４からの離脱が妨げられる。
【００２７】
同様に、第２の独立第２ロック部材２９０は、不十分に挿入された係合端子７４の検知ができる。係合端子７４が、第１端子位置と第２端子位置との間に、係合端子７４が第１距離よりも長くかつ第２距離よりも短い距離、第２キャビティ２５４内に挿入されたとき、係合端子７４が、第２の独立第２ロック部材２９０と干渉することによって、第２端子位置保証２１８がフルセット位置に移動できなくなる。そのとき、係合端子７４は、第２端子位置保証２１８とフルセット位置との間で止め具として機能し、第２端子位置保証２１８がフルセット位置にいけないことは、不十分に挿入された係合端子７４の存在を意味する。第２端子位置保証２１８は、複数の第２の独立第２ロック部材２９０を有することができ、その結果、複数の第２ベイ２４２内に複数の係合端子７４を固定でき、さらに、複数の第２ベイ２４２内でわずか一つの不十分に挿入された係合端子７４も検知できる。シュラウド２５０は、第２本体２１４のフロント側２７０の周辺領域（周囲）から第１方向に延びるように構成され、少なくとも係合端子７４のプロング２７２を超えて延びることができ、プロング２７２を保護することができる。シュラウド２５０は、シュラウド２５０内に挿入された第１本体２２の一部を受けるように構成されることができ、第１および第２本体２２,２１４が、完全に係合した状態にあるとき、シュラウド２５０は、第１本体２２の一部を覆うか、または、取り囲む。シュラウド２５０は、プリセット状態にあるとき第１本体２２の一部を覆うことができる。
【００２８】
図１を参照して、第１および第２本体２２,２１４が完全に係合した状態にあるとき、コネクタ保証装置２６は、コネクタ保証チャネル４６内に挿入されるように構成されている。第１および第２本体２２,２１４が、プリセット状態とフル係合状態との間にあるとき、第１および第２本体２２,２１４は、コネクタ保証装置２６がコネクタ保証チャネル４６内に完全に挿入されることを妨げるように協働する。したがって、コネクタ保証装置２６の挿入が妨げられたことは、第１および第２本体２２,２１４が、不十分な係合をしていることを指し示す。実施例の上述の記載は、例示と記載の目的で供給されたものである。それは、開示の網羅を意図しておらず、開示に制限されることを意図していない。個々の実施例の個々の要素や特徴は、その実施例に限定されたものでなく、適用可能である場合に取り換え可能であり、具体的に示されずに記載されていなくても、他の実施例で使用されることができる。そのことは、いくつかの場合で確かめられるかもしれない。そのような変形例は、開示から逸脱したものとみなされず、そのようなあらゆる変形例は、開示範疇に含まれる。
【００２９】
実施例が、当業者にとって、スコープ（技術的範囲）を十分に伝達するように提供された。多数の具体的な詳述が、本開示の実施例の完全な理解を可能にすべく、特定の要素、装置、方法を例として、明らかにされた。当業者にとっては、特定の細部を必要としないかもしれないことが、明白であり、例の実施例が多数の異なった形式で実施されるかもしれないことも、明白であるが、そのどちらも、開示の範囲を制限するのに使用できない。いくらかの例の実施例では、よく知られたプロセス、よく知られた装置構造、よく知られたテクノロジーが詳細に開示されていない。
【００３０】
ここで使用されたテクノロジーは、特有の実施例の記載を目的としたものであり、制限を意図していない。ここで使用された、単数形’’ａ’’、’’aｎ’’、’’the’’は、文脈が明確に単数形であることをさし示している場合を除いて、複数形の場合も含むかもしれない。次のターム、すなわち、’’備える（comprises）’’、’’備えている（comprising）’’、’’含んでいる（including）’’ 、’’有している（having）’’は、包含的であり、それゆえに、述べた特徴、整数、ステップ、動作、要素および構成のうちの少なくとも一つの存在を、特定するが、それらに特徴等を追加しないものまたはそれらに一以上の他の特徴、整数、ステップ、動作、要素、構成およびそのグループの少なくとも一つの追加を排除するものではない。また、ここで記載された、方法のステップ、プロセスおよび動作は、実行の順序が特別であるとみなしていないかぎり、議論または例示された特別の順序で実行されなくてもよい。また、追加的または代替的なステップを実行してもよいことが理解されるかもしれない。
【００３１】
要素または層が、他の要素や層との関係において’’上（on）’’、’’かみ合う（engaged to）’’、’’結び付けられた（connected to）’’ 、’’結合した（coupled to）’’と言及された場合、それは、直接的に、上にあり、かみ合い、結び付けられ、結合されたかもしれず、または、介在要素や介在層が介在しているかもしれない。一方、要素が、他の要素や層との関係において’’直接上に（directly on）’’、’’直接かみ合う（directly engaged to）’’、’’直接結び付けられた（directly connected to）’’ 、’’直接結合した（directly coupled to）’’と言及された場合、介在要素や介在層は存在しないかもしれない。要素の間の関係を記載するのに使用される他の言葉は、同じ流儀で解釈されるべきである（例えば、’’間（between）’’に対する’’直接的な間（directly between）や、’’隣接した（adjacent）’’に対する’’直接隣接した（directly adjacent）’’等）。また、ここで使用されているターム’’少なくとも一つ（and／or）’’は、リストされたアイテムの全ての一以上の組み合わせを含み、リストされたアイテムのいかなる一以上の組み合わせも含む。様々な要素、構成、領域および区域のうちの少なくとも一つを記載するのに、タームであるところの、第１、第２、第３等が、使用されるかもしれないが、それら要素、構成、領域および区域のうちの少なくとも一つは、それらのタームであるところの第１、第２、第３等によって、限定されるべきではない。これらのタームであるところの第１、第２、第３等は、一の要素、成分、地域、層、区域を、他の要素、成分、地域、層、区域と区別するのに使用しているだけである。第１、第２、その他の数のタームは、使用されたとき、文脈によって明確に指し示されていないかぎり、順序を暗示していない。それで、以下に議論されるように、第１要素、第１成分、第１地域、第１層または第１区域は、実施例の教えから逸脱することなしに、第２要素、第２成分、第２地域、第２層または第２区域と名付けられることができる。
【００３２】
また、空間に関係するターム、例えば、’’内側（inner）’’、’’外側（outer）’’、’’下（beneath）’’ 、’’下（below）’’、’’低い（lower）’’、’’上（above）’’、’’上側（upper）’’ 等は、図に記載された、一の要素または構成と、他の要素または構成との関係を記載する際、記載を容易にするために用いられるかもしれない。空間に関係するタームは、図示された方向に関し、使用状態すなわち動作している装置の異なった方向を含むことを意図しているかもしれない。例えば、図における装置がひっくり返されれば、’’下（beneath）’’ 、’’下（below）’’と記載されていた要素、他の要素または構成は、その時、’’上（above）’’として方向づけられるだろう。それで、一例としてのターム’’下（below）’’は、上と下の方向の両方を含むことができる。また、装置は、（９０度回転された方向やその他の方向等）の他の方向に方向づけられるかもしれず、ここで使用された空間に関する記載は、そのように解釈されるものである。
【図１】
0005887393.tif 000002
【図２】
0005887393.tif 000003
【図３】
0005887393.tif 000004
【図４】
0005887393.tif 000005
【図５】
0005887393.tif 000006
【図６】
0005887393.tif 000007
【図７】
0005887393.tif 000008